(57)【要約】      （修正有）【課題】通気性を向上しながらも十分な強度を有するとともに、容易に製造することができる簀の子を提供する。【解決手段】左右方向に長い複数の横板２、３、４を複数の連結部材５により前後方向に離間して並列に配置してなる簀の子１であって、横板２、３の上面に、これらの全長において、左右方向に長い通気溝６を形成するとともに、横板２、３の左右両端部以外の中央部分に上下方向に貫通する通気用スリット７を左右方向に長く形成した。【選択図】図１
2010270498.tif 000002
【特許請求の範囲】
【請求項１】
左右方向に長い複数の横板を複数の連結部材により前後方向に離間して並列に配置してなる簀の子であって、
前記横板の上面に左右方向に長い通気溝を形成するとともに、該通気溝に上下方向に貫通する通気用スリットを形成してなる簀の子。
【請求項２】
前記通気溝が前記横板の全長において設けられるとともに、前記通気用スリットが前記横板の左右両端部以外の中央部分に左右方向に長く形成された請求項１記載の簀の子。
【請求項３】
前記横板の上面が左右方向に対する垂直断面視において山形状である請求項１又は２記載の簀の子。
【請求項４】
複数の台座を左右方向に離間して前記横板の下側に固定するとともに、可撓性ある前記連結部材により前記横板を並設してなる請求項１〜３の何れか１項に記載の簀の子。
【請求項５】
前後方向に長い連結部材を前記横板の下側に固定して簀の子状板を形成し、複数の前記簀の子状板を前後方向に折り畳み自在に連結してなる請求項１〜３の何れか１項に記載の簀の子。
【発明の詳細な説明】
【技術分野】
【０００１】
本発明は、布団用簀の子、バスマット用簀の子、又は押入用簀の子等の簀の子に関する。
【背景技術】
【０００２】
従来、所定間隔を置いてほぼ平行に配置した左右方向に長い多数の横板部を連結し、前記横板部を載置支持するための支持部を備えてなる簀の子において、前記多数の横板部の全て又は一部に上下方向に貫通する通気用の孔を多数形成し、前記各孔を、寝具の載置上面から前記横板部の上下厚みの半分よりも上側に位置する設定深さ位置までほぼ同一の大きさにて形成された第１孔と、この第１孔の下端から該横板部の下端面までの範囲に形成された該第１孔よりも小さな寸法を有する第２孔とから構成したことを特徴とする簀の子があった（例えば、特許文献１参照）。
【先行技術文献】
【特許文献】
【０００３】
【特許文献１】特開２００６−３７３８３号公報
【発明の概要】
【発明が解決しようとする課題】
【０００４】
上記特許文献１の簀の子は、連結される横板部に鉛直方向に貫通する第１孔と第２孔からなる孔を設けて通気性を改善するものであるが、こうした孔では十分な通気性が得られない場合があった。また、通気性を向上するためには孔を大きくすればよいが、孔を大きくすると強度が落ちるという問題が考えられる。さらに、横板部に多数のこうした孔をあける作業により製造コストが嵩むとともに、横板部を木材により形成した場合に孔形成部にささくれが発生し商品価値が低下する可能性があり、これらの点において改善の余地がある。
【０００５】
本発明が解決しようとする課題は、通気性を向上しながらも十分な強度を有するとともに、容易に製造することができる簀の子を提供することにある。
【課題を解決するための手段】
【０００６】
本発明に係る簀の子は、前述の課題解決のために、左右方向に長い複数の横板を複数の連結部材により前後方向に離間して並列に配置してなる簀の子であって、前記横板の上面に左右方向に長い通気溝を形成するとともに、該通気溝に上下方向に貫通する通気用スリットを形成してなるものである。
【０００７】
ここで、前記通気溝が前記横板の全長において設けられるとともに、前記通気用スリットが前記横板の左右両端部以外の中央部分に左右方向に長く形成すると好ましい。
【０００８】
また、前記横板の上面が左右方向に対する垂直断面視において山形状であると好ましい。
【０００９】
さらに、複数の台座を左右方向に離間して前記横板の下側に固定するとともに、可撓性ある前記連結部材により前記横板を並設してなると好ましい。
【００１０】
さらにまた、前後方向に長い連結部材を前記横板の下側に固定して簀の子状板を形成し、複数の前記簀の子状板を前後方向に折り畳み自在に連結してなると好ましい。
【発明の効果】
【００１１】
以上にしてなる本願発明に係る簀の子は、通気溝により、載置物との接触面積を少なくするとともに、左右方向の空気の流れを確保することができる。また、通気用スリットにより、上下方向の空気の流れを確保することができる。さらに、これらの空気の流れは、横板の下側における空気の流れとつながっているため、これらの相乗効果により、簀の子の通気性を高くすることができる。
【００１２】
また、前記通気溝が前記横板の全長において設けられるとともに、前記通気用スリットが前記横板の左右両端部以外の中央部分に左右方向に長く形成すると、横板の全長に設けた通気溝により、左右方向に空気が流れやすいものとすることができる。また、ライン状に設けた通気用スリットにより、左右方向に流れる通気溝内の空気を横板の下側へ移動させやすくすることで、簀の子の通気性を高くすることができる。また、通気溝内に埃等が溜まりにくく、衛生的に使用することができる。
【００１３】
さらに、前記横板の上面が左右方向に対する垂直断面視において山形状であると、載置物との接触面積をより少なくして、通気性を高くすることができる。また、簀の子上面に埃等が付着しにくいため、載置物を汚してしまう等の不都合が生じ難い。さらに、布団を載置してベッドとして使用する、又は、バスマットを載置して脱衣場で使用する場合等は、ベッド又はバスマットの使用者に指圧効果を与えるため、使用者は、より快適に使用することができる。
【００１４】
さらにまた、複数の台座を左右方向に離間して前記横板の下側に固定するとともに、可撓性ある前記連結部材により前記横板を並設してなると、ロール状に巻いて固定することでコンパクトに収納することができる。
【００１５】
また、前後方向に長い連結部材を前記横板の下側に固定して簀の子状板を形成し、複数の前記簀の子状板を前後方向に折り畳み自在に連結してなると、簀の子状板の連結部分で折り曲げることができるため、折り畳んでコンパクトに収納することができるとともに、例えば、簀の子ベッド又はバスマット用簀の子等に用いる場合に、側面視において略逆Ｖ字状、又は、略Ｍ字状に保持することで、布団やバスマットを簡単に干すことができる。
【図面の簡単な説明】
【００１６】
【図１】本発明の実施の形態１に係る布団用簀の子１Ａの構成を示す斜視図である。
【図２】本発明の実施の形態１に係る布団用簀の子１Ａの構成を示す背面図である。
【図３】本発明の実施の形態１に係る布団用簀の子１Ａの収納状態を示す斜視図である。
【図４】本発明の実施の形態１に係る布団用簀の子１Ａの部分拡大を示す斜視図である。
【図５】本発明の実施の形態１に係る横板２、３の構成を示す部分拡大図であり、（ａ）は側面図、（ｂ）は台座固定部分の縦断面図、（ｃ）は台座のない部分の縦断面図である。
【図６】本発明の実施の形態１に係る横板２、３の構成を示す部分拡大図であり、（ａ）は第一横板２の通気用スリット７の側端部の縦断面図、（ｂ）は第二横板３の通気用スリット７の側端部の縦断面図である。
【図７】本発明の実施の形態２に係る布団用簀の子１Ｂの構成を示す斜視図である。
【図８】本発明の実施の形態２に係る布団用簀の子１Ｂの部分拡大背面図である。
【図９】本発明の実施の形態２に係る布団用簀の子１Ｂの逆Ｖ字状態を示す斜視図である。
【図１０】本発明の実施の形態３に係る布団用簀の子１Ｃの構成を示す斜視図である。
【図１１】本発明の実施の形態３に係る布団用簀の子１ＣのＭ字状態を示す斜視図である。
【図１２】本発明の実施の形態４に係るバスマット用簀の子１Ｄの構成を示す斜視図である。
【図１３】本発明の実施の形態４に係るバスマット用簀の子１Ｄの逆Ｖ字状態を示す斜視図である。
【発明を実施するための形態】
【００１７】
次に、本発明の実施の形態を添付図面に基づいて説明するが、本発明は添付図面に示された形態に限定されず、特許請求の範囲に記載の要件を満たす実施形態の全てを含むものである。図１〜図６は本発明の実施の形態１に係る布団用簀の子１Ａ、図７〜図９は実施の形態２に係る布団用簀の子１Ｂ、図１０及び図１１は実施の形態３に係る布団用簀の子１Ｃ、図１２及び図１３は実施の形態４に係るバスマット用簀の子１Ｄを示し、図中符号１は簀の子、２は１本の通気溝６を有する横板（以下、「第一横板」という）、３は２本の通気溝６、６を有する横板（以下、「第二横板」という）、４は一般的な平板状の横板（以下、「平横板」という）、５は連結部材、６は通気溝、７は通気用スリット、８は台座をそれぞれ示す。ここで、第一横板２、第二横板３、平横板４、台座８（クッション材を除く）は木製のものである。
【００１８】
なお、本明細書においては、図１に示すように、布団用簀の子１Ａの幅方向を左右方向Ａとし、この左右方向Ａに直交する布団用簀の子１Ａの長さ方向を前後方向Ｂとする。
【００１９】
実施の形態１．
図１〜図６は、本発明の実施の形態１に係る布団用簀の子１Ａの構成を示す。
【００２０】
図１に示すように、実施の形態１に係る布団用簀の子１Ａは、左右方向に長い複数の横板２、３、４を２本の連結部材５Ａ、５Ａにより前後方向に略均等に離間して並列に配置したものであり、一部以外の横板２、３の上面には、左右方向にのびる通気溝６を形成するとともに、通気溝６内に上下方向に貫通する通気用スリット７を、左右両端部以外の中央部分に左右方向に長く形成している。
また、横板２、３、４には、上面に一本の通気溝６、及び、この通気溝６内に上下方向に貫通する通気用スリット７を有する第一横板２と、第一横板２と同様の通気溝６を２本有する第二横板３と、上面を平坦面とする一般的な平横板４とがあり、夫々を簀の子１Ａの適当な部分に配置させて布団用簀の子１Ａを構成する。
【００２１】
このような構成により、布団用簀の子１Ａは、通気溝６により生じる左右方向の空気の流れ、通気用スリット７により生じる上下方向の空気の流れ、及び、一般的な簀の子と同様に簀の子１Ａが有する隙間により生じる空気の流れの相乗効果により、通気性が高いものとなっている。
【００２２】
図２に示すように、複数の台座８、８、・・・を左右方向に略均等に離間して横板２、３、４の下面に固定するとともに、可撓性あるベルト状の連結部材５Ａ、５Ａにより横板２、３、４を前後方向に離間して並設している。ここで、台座８は、それぞれの横板２、３、４の強度に合わせて、その個数を設定し、第一横板２は７個、第二横板３は８個、平横板４は６個の台座８を固定した。このように個別に台座８の個数を設定したことで、布団用簀の子１Ａは、必要な強度を有して通気性の高いものであると共に、製造コスト及び軽量化の面において有利なものとなっている。
【００２３】
また、第一横板２及び第二横板３の両端部に位置する台座８Ａの上面には、凹部（図示せず）を設けて連結部材５Ａを嵌め込んで強固に固定できるものとするとともに、これら以外の台座８Ｂの上面には、通気用スリット７に対応する位置に溝８ａを設けて、通気性を高くしている。さらに、台座８Ａ、８Ｂの下面には、布団用簀の子１Ａの滑り止め、載置する床面の傷防止、載置時の消音等の目的でクッション材を貼り付けている。
【００２４】
また、運搬時や収納時には、図３に示すように、布団用簀の子１Ａをロール状に巻いた状態で固定用ベルト等を用いて固定することにより、運搬容易、且つ、省スペースで収納可能なものとすることができる。
【００２５】
図４に示すように、第一横板２及び第二横板３は、左右両端までのびる１本又は２本の通気溝６を有し、この通気溝６の左右両端部以外の中央部分に上下方向に貫通する通気用スリット７を有する。また、この通気溝６以外の横板２、３の上面は左右方向に垂直な断面視において山形状となっている。
【００２６】
第一横板２は、左右両端までのびる通気溝６を横板幅方向における中央に形成するとともに、この通気溝６内に上下方向に貫通する通気用スリット７を形成した後、通気溝６以外の上面が横板長手方向に対する垂直断面視において山形状となるように加工して成形する。
第二横板３は、第一横板２と同様に、通気溝６及び通気用スリット７を横板幅方向において、略均等に離間して２本形成した後、通気溝６、６以外の上面が横板長手方向に対する垂直断面視において山形状となるように加工して成形する。
【００２７】
第一横板２は、一本の通気溝６及び通気用スリット７を有するため、強度を高く維持したまま、通気性を向上させることができ、第二横板３は、第一横板２に比して強度は低くなるものの、通気性はより高いものとなっている。
このため、布団用簀の子１Ａにおいて、第一横板２には台座８を７個設け、第二横板３には台座８を８個設けて夫々の強度に対応した構成としている。また、布団用簀の子１Ａは、第二横板３を布団用簀の子１Ａの前後方向における中央部分に用いて、使用者の胴体部の通気性をより高いものとしている。このように、使用者の胴体部に位置する部分に第二横板３を用いることで、指圧効果も発揮させることができる。さらに、この中央部分の前後には、第一横板２を用いて必要な通気性と強度を確保するとともに、適度な指圧効果も発揮させるものとしている。
また、第一横板２、第二横板３、及び平横板４の両端部は、使用者を傷つけず、又、布団を傷めないように、円弧状に加工している。
【００２８】
図５には、布団用簀の子１Ａの第一横板２及び第二横板３の通気性を説明するための第一横板２と第二横板３の連結部分の部分拡大図を示し、（ａ）は側面図、（ｂ）は左右両端部以外の台座８固定部分の縦断面図、（ｃ）は左右両端部以外の台座８のない部分の縦断面図を示す。
【００２９】
図５（ａ）に示すように、第一横板２及び第二横板３は、その全長において、上面が山形状であるため、布団を布団用簀の子１Ａに載置した場合に山形状の上側のみが布団に接触し、布団と布団用簀の子１Ａとの接触面積を小さくすることができる。また、第一横板２及び第二横板３には、その全長において、１本又は２本の通気溝６が設けられているため、左右方向の空気の流れを確保している。これらの効果により、布団用簀の子１は通気性が高いものとなっている。また、台座８Ａは連結部材５Ａを挟んで横板２、３に接着されるとともに、この両端部には通気用スリット７も存在しないため、連結部材５を簡易な構造で強固に固定することができるうえ、特に、負荷がかかることが多い横板２、３の両端部における台座８Ａと横板２、３との接着を強いものとすることができる。
【００３０】
図５（ｂ）に示すように、第一横板２及び第二横板３の左右両端部以外における通気溝６内には、第一横板２及び第二横板３の上下方向に貫通する通気用スリット７が設けられ、台座８の上面まで、通気スペースを広く確保している。これにより、布団用簀の子１Ａの左右方向における中央部分の通気性をより高いものとしている。また、台座８Ｂの上面には、通気用スリット７に対応する位置に、通気用スリット７と同様の方向にのびる溝８ａを設けて通気用スリット７内の空気を横板２、３よりも下側へ流れやすくすることで、通気性を向上している。
【００３１】
図５（ｃ）に示すように、第一横板２及び第二横板３の左右両端部以外の台座８Ｂのない部分においては、通気溝６及び通気用スリット７により、通気溝６内の空気が第一横板２及び第二横板３の下側へ通り抜けることができる。また、この第一横板２及第二横板３の下側には布団用簀の子１の前後方向及び左右方向に空気が流れているため、これらの空気の流れとの相乗効果で、布団用簀の子１の通気性を向上している。さらに、台座８Ｂの上面に設けた溝８ａにより、台座８Ｂの固定部の通気用スリット７の空気を流れやすくして通気性を高くしている。
【００３２】
つまり、布団用簀の子１Ａに載置した布団が湿気を含んでいる場合又は含んだ場合には、この湿気は、まず、布団の下側に位置する通気溝６に排出される。この通気溝６には左右方向に空気が流れているため、ここへ排出された湿気を含む空気は通気溝６及び通気用スリット７を通って横板２、３、４の下側へ流される。横板２、３、４の下側には左右及び前後方向に空気が流れているため、ここへ流された湿気を含む空気は布団用簀の子１Ａの外へ流される。これらの作用により、布団用簀の子１Ａは、使用する布団を常時通気性高く保持することができる。
【００３３】
図６には、第一横板２及び第二横板３の両端部の構成を示しているが、これらの両端部では、通気用スリット７は設けられず、通気溝６のみが設けられている。このため、第一横板２及び第二横板３は、左右方向の通気性を確保しながらも、簀の子の部品として扱いやすく、製造コストを低廉化することができるものとなっているとともに、台座８よりも左右方向における外側に突出する部分の強度を高くしている。
また、通気用スリット７の左右両端部には、傾斜面を形成して空気がより流れやすく構成している。
【００３４】
実施の形態２．
図７〜図９は、本発明の実施の形態２に係る布団用簀の子１Ｂの構成を示す。
【００３５】
本発明の実施の形態２に係る布団用簀の子１Ｂは、図７に示すように、前後方向に長い８本の連結部材５Ｂ、５Ｂ、・・・を第一横板２、第二横板３、及び平横板４の下側に固定して簀の子状板１０Ｂを形成し、２枚の簀の子状板１０Ｂを連結ベルト９により前後方向に折り畳み自在に連結してなる。連結部材５Ｂの下には、６個の台座８を略均等に配置して固定している。また、図８に示すように、簀の子状板１０Ｂの背面にピン１２を設け、このピンを差し込む孔を先端に有する保持ベルト１１を一方の簀の子状板１０Ｂの背面に設けている。
【００３６】
このため、布団用簀の子１Ｂは、図９に示すように、側面視逆Ｖ字状に折り曲げて保持ベルト１１をピン１２に差し込むことで、布団等をより通気性の良い状態で保持することができる。このとき、布団用簀の子１Ｂの第一横板２及び第二横板３には、通気溝６及び通気用スリット７が設けられているため、通気性がより高いものとなっている。
また、布団用簀の子１Ｂは、完全に折り畳むことで、運搬しやすくなるとともに、省スペースで収納することができる。
さらに、８本の連結部材５Ｂにより第一横板２、第二横板３、及び平横板４を固定しているため、これらの連結の強度を高くし、耐久性を良くしている。
さらにまた、台座８は、連結部材５Ｂの下側に取り付けられるため、薄いものであっても高い通気性を確保することができる。
【００３７】
実施の形態２に係る布団用簀の子１Ｂのその他の構成については、上記実施の形態１と同様であり、同一構造については同一の符号を付してその説明を省略する。
【００３８】
実施の形態３．
図１０及び図１１は、本発明の実施の形態３に係る布団用簀の子１Ｃの構成を示す。
【００３９】
本発明の実施の形態３に係る布団用簀の子１Ｃは、図１０に示すように、前後方向に長い６本の連結部材５Ｂ、５Ｂ、・・・を第一横板２及び平横板４の下側に固定して簀の子状板１０Ｃを形成し、６本の連結部材５Ｂ、５Ｂ、・・・を第二横板３及び平横板４の下側に固定して簀の子状板１０Ｃを形成し、これらの簀の子状板１０Ｃを各２枚ずつ、合計４枚の簀の子状板１０Ｃ、１０Ｃ、・・・を連結ベルト９により前後方向に折り畳み自在に連結してなる。また、実施の形態２と同様に、中央側の２枚の簀の子状板１０Ｃ、１０Ｃの背面にピンを設け、このピンを差し込む孔を有する保持ベルト１１を前後両端側の２枚の簀の子状板１０Ｃ、１０Ｃの背面に設けている。
【００４０】
このため、布団用簀の子１Ｃは、図１１に示すように、側面視Ｍ字状に折り曲げて保持ベルト１１により固定することで、布団等をより通気性の良い状態で保持することができる。このとき、布団用簀の子１Ｃの第一横板２及び第二横板３には、通気溝６及び通気用スリット７が設けられているため、通気性がより高いものとなっている。
また、布団用簀の子１Ｃは、完全に折り畳むことで、運搬しやすくなるとともに、省スペースで収納することができる。
さらに、連結部材５Ｂの下側に緩衝のためのクッション材を貼り付け、連結部材５Ｂが第一横板２、第二横板３、及び平横板４を直接支持する構成としているため、上記実施の形態１又は２のように、台座を設ける必要がなく、製造コストにおいて有利なものとなっている。
【００４１】
実施の形態３に係る布団用簀の子１Ｃのその他の構成については、上記実施の形態１と同様であり、同一構造については同一の符号を付してその説明を省略する。
【００４２】
実施の形態４．
図１２及び図１３は、本発明の実施の形態４に係るバスマット用簀の子１Ｄの構成を示す。
【００４３】
本発明の実施の形態４に係るバスマット用簀の子１Ｄは、図１２に示すように、前後方向に長い連結部材５Ｂを横板２、３、４の下側に固定して簀の子状板１０Ｄを形成し、２枚の簀の子状板１０Ｄ、１０Ｄを連結ベルト９により前後方向に折り畳み自在に連結してなる。また、実施の形態２と同様に、簀の子状板１０Ｄの背面にピンを設け、このピンを差し込む孔を有する保持ベルト１１を他方の簀の子状板１０Ｄの背面に設けている。
【００４４】
このため、バスマット用簀の子１Ｄは、図１３に示すように、側面視逆Ｖ字状に折り曲げてベルト９により固定することで、バスマット等をより通気性の良い状態で保持することができる。このとき、バスマット用簀の子１Ｄの第一横板２及び第二横板３には、通気溝６及び通気用スリット７が設けられているため、通気性がより高いものとなっている。
また、バスマット用簀の子１Ｄは、完全に折り畳むことで、運搬しやすくなるとともに、省スペースで収納することができる。
さらに、連結部材５Ｂの下側にクッション材を貼り付け、連結部材５Ｂが第一横板２、第二横板３、及び平横板４を直接支持するため、上記実施の形態１又は２のように、台座を設ける必要がなく、製造コストにおいて有利なものとなっている。
【００４５】
実施の形態４に係る布団用簀の子１Ｄのその他の構成については、上記実施の形態１と同様であり、同一構造については同一の符号を付してその説明を省略する。
【００４６】
なお、上記実施の形態１〜４では、布団用簀の子又はバスマット用簀の子として構成したものを示しているが、押入用簀の子や風呂用簀の子等、他に用いられる簀の子として構成してもよい。
また、実施の形態１〜４の何れにおいても、第一横板２、第二横板３、及び平横板４の配置の一例を示しているが、これらの配置は目的に応じて変更してもよく、例えば、簀の子の長さ方向（前後方向）にのびる横板２、３、４を幅方向（左右方向）に離間させて配置させたものであってもよい。
さらに、横板２、３、４は、他の構成であってもよく、例えば、通気溝６と同じ長さの通気用スリット７を形成したものや、同じ通気溝６内に複数の通気用スリット７を形成した横板等を用いることで、簀の子の用途により必要とされる通気性及び強度を備えさせてもよく、また、通気溝６及び通気用スリット７を３本以上設けて構成したものであってもい。
さらにまた、第一横板２及び第二横板３の上面は、いずれも断面視において円弧状とすることで通気性を向上するとともに指圧効果を発揮できるものとしているが、これに限らず、例えば、先を尖らせた形状や頂を水平とした形状であってもよく、これらを含めて山形状と称する。
また、実施の形態１の簀の子１Ａの台座８Ｂに形成した溝８ａは、用途に応じて形成しないものとして簀の子１を構成してもよく、他の実施の形態２〜４に、このような溝８ａを形成して簀の子１を構成してもよい。
【符号の説明】
【００４７】
１     簀の子
１Ａ 布団用簀の子（実施の形態１）
１Ｂ 布団用簀の子（実施の形態２）
１Ｃ 布団用簀の子（実施の形態３）
１Ｄ バスマット用簀の子（実施の形態４）
２     第一横板
３     第二横板
４     平横板
５     連結部材
６     通気溝
７     通気用スリット
８     台座
８Ａ 台座（両端部に固定されるもの）
８Ｂ 台座（両端部以外に固定されるもの）
８ａ 溝
９     連結ベルト
１０   簀の子状板
１１   保持ベルト
１２   ピン
Ａ     左右方向
Ｂ     前後方向
【図１】
2010270498.tif 000003
【図２】
2010270498.tif 000004
【図３】
2010270498.tif 000005
【図４】
2010270498.tif 000006
【図５】
2010270498.tif 000007
【図６】
2010270498.tif 000008
【図７】
2010270498.tif 000009
【図８】
2010270498.tif 000010
【図９】
2010270498.tif 000011
【図１０】
2010270498.tif 000012
【図１１】
2010270498.tif 000013
【図１２】
2010270498.tif 000014
【図１３】
2010270498.tif 000015